【事件の表示】
　特願２０１６−５０２３３１「増強されたエコー源性特性を有する管腔内フィルタ」拒絶査定不服審判事件〔平成２６年　９月２５日国際公開、ＷＯ２０１４／１５２２１７、平成２８年　５月　９日国内公表、特表２０１６−５１２７１８〕について、次のとおり審決する。
【結　論】
　本件審判の請求は、成り立たない。
【理　由】
第１　手続の経緯
　本願は、２０１４年（平成２６年）３月１４日（パリ条約による優先権主張外国庁受理　２０１３年（平成２５年）３月１４日、米国（ＵＳ））を国際出願日とする出願であって、その手続の経緯の概要は、以下のとおりである。
　平成２７年　９月　９日　　：国内書面の提出
　平成２７年１１月　６日　　：手続補正書の提出
　平成３０年　２月　９日付け：拒絶理由通知書
　平成３０年　５月１０日　　：意見書及び手続補正書の提出
　平成３０年　８月　３日付け：拒絶査定
　平成３０年１２月　３日　　：審判請求書、同時に手続補正書の提出
第２　本願発明
　本願の各請求項に係る発明は、平成３０年１２月３日の手続補正により補正された特許請求の範囲の請求項１ないし２４に記載された事項により特定されるものであるところ、その請求項１に係る発明（以下「本願発明」という。）は、次のとおりのものである。
「 【請求項１】
　第１端部及び第２端部を有する第１の支持部材と、
　前記第１の支持部材の前記第１端部又は前記第１の支持部材の前記第２端部に取り付けられ、前記第１の支持部材と共に交差部を形成し、前記交差部の両側に１つずつ、２つのループを形成する、第２の支持部材と、
　前記第１の支持部材と前記第２の支持部材との間、かつ、前記交差部と前記第１の支持部材の前記第１端部又は前記第２端部との間に延在する物質捕捉構造と、を含む管腔内フィルタであって、
　少なくとも前記物質捕捉構造の任意の部分が当該管腔内フィルタのエコー源性特性を増強する構造である、管腔内フィルタ。」
第３　原査定の拒絶の理由
　原査定の拒絶の理由は、本願の請求項１に係る発明は、その優先権主張の日（以下「優先日」という。）前に頒布された又は電気通信回線を通じて公衆に利用可能となった下記の引用文献１に記載された発明及び引用文献２に記載された技術に基いて、その優先日前にその発明の属する技術分野における通常の知識を有する者が容易に発明をすることができたものであるから、特許法２９条２項の規定により特許を受けることができない、というものを含むものである。
　　　　　　　　　　　　　　　　　記
　引用文献１：特表２０１１−５０９１１７号公報
　引用文献２：国際公開第２０１２／０７１２２４号
第４　引用文献及び引用発明１
　引用文献１には、図面とともに、次の記載がある。（下線は、当審が付与したものである。以下同様。）
（１）「【請求項１】
管腔内フィルタにおいて、
　
第一の端部と、第二の端部とを有する第一の支持体と、
　該第一の支持部材の第一の端部に又は該第一の支持部材の第二の端部に装着され且つ、前記第一の支持部材を有するクロスオーバを形成する第二の支持体と、
　前記第一及び第二の支持部材と、前記クロスオーバと、前記第一の支持部材の第一の端部又は第二の端部との間を伸びる材料捕捉構造体と、
　前記第一の支持部材又は第二の支持部材に設けられた少なくとも１つの組織アンカー
とを有する、管腔内フィルタ
（２）「【００４７】
　［００１１０]  材料捕捉構造体１１５は、多数の異なる位置及び向きの任意のものとすることができる。図１３Ａは、
支持部材１０５、１１０により形成された２つの開ループの支持フレームを有する本発明のフィルタの１つの実施の形態を示す。
（３）「【００５９】
　［００１２３]  ・・・（中略）・・・追加的な実施の形態において、本発明の回収可能な特徴部は、医療画像法を使用してフィルタ装置の視認性又は像品質を向上させるのを助けるマーカー又はその他の特徴部を含むことができる。図２７Ｃの一例としての実施の形態において、
放射線不透過性マーカー２４８が湾曲部分２４１上に配置される。マーカー２４８は、白金、タンタル又は金のような、任意の適正な材料にて出来たものとすることができる
（４）「【００６２】
　［００１２７]  その他の代替的な実施の形態において、
穴３５６は、線３５１を固定し、また別の材料を支持構造体１０５内に組み込むためのキャビティを提供すべく使用される。支持構造体１０５内に組み込むことのできるその他の材料は、例えば、薬剤又は放射線不透過性材料を含む
（５）「【００７５】
  ［００１４０]  図５３Ａは、上述したように、端部１０２とクロスオーバ１０６との間にて支持部材１０５、１１０により形成された支持フレーム１２６の１つの実施の形態を示す。ループ４５３／４５４は、図４６−５１Ｂに関して上述したように、線４５１／４５２を使用して形成される。その後、フィラメント４６１は、図４６−５１Ｂに関して説明した加工工程の間、接続、接着又はフィラメント４６１を組み込むことにより線４５１／４５２に適当に接続される（４６２）。次に、フィラメント４６１は、ループ４５３／４５４の回りにて図５２Ａに関して上述したように刺繍した。しかし、この実施の形態において、ループの間の刺繍パターンは、端部１０２とクロスオーバ１０６との間を伸びる線に対して全体として平行なままである。完成したとき、刺繍過程は、端部１０２とクロスオーバ１０６との間にて線に対して平行に伸び且つ支持部材１０５／１１０に固定されたループ４５１／４５２に固定する
１つ又はより多くのフィラメント４６１からろ過構造体を作り出す。このろ過構造体（図５３Ａ）は、本発明のフィルタ装置内にて使用することができる。更に、図５３Ａのろ過構造体（同様に、図５２Ｄの構造体）は、フィラメント４６１に隣接して結合するように（４６８）更に加工し、ろ過構造体４７０の一部としてフィルタセル４６９を形成する。フィラメント４６１に隣接して結合する（４６８）ために使用される過程は、接続、溶接、接合、接着等のもののような、任意の従来の結合技術を含むことができる。更に、管のセグメント（すなわち、上述したセグメント４５０、４５５、４５６）は、隣接するフィラメント４６１の部分を結合する（４６８）ため使用することができる
（６）「【００７７】
  ［００１４３]  菱形の形状のフィルタセル（図５４Ａ）及び矩形の形状のフィルタセル（図５４Ｂ、２Ａ、９Ｂ）を形成するため、
交差型フィラメント（図５４Ｃ）を使用することができる。図５７Ｂに示した３つのストランド４６１ａ、４６１ｂ、４６１ｃアレーのような、多数のストランドパターンを使用することができる。交差型フィラメントは、結び、接続し又はその他の方法にて結合する（４６８）ことができる
（７）上記（３）及び（４）の記載事項からみて、支持構造体１０５（上記（２）では「支持部材１０５」）内には、白金、タンタル又は金のような放射線不透過性材料が組み込まれているといえる。
（８）上記（５）及び（６）の記載事項からみて、材料補足構造体（上記（５）では「ろ過構造体」）は、交差型フィラメントで形成されており、フィラメントがその交差部において相互に結合されている点が記載されているといえる。
（９）上記（１）〜（６）の記載事項及び上記（７）〜（８）の認定事項からみて、引用文献１には、次の発明（以下「引用発明」という。）が記載されているといえる。
「第一の端部と、第二の端部とを有する第一の支持部材と、
　該第一の支持部材の前記第一の端部又は該第一の支持部材の第二の端部に装着され、前記第一の支持部材とともにクロスオーバを形成し、前記クロスオーバの両側に１つずつ、２つの開ループを形成する、第二の支持部材と、
　前記第一及び第二の支持部材と、かつ、前記クロスオーバと前記第一の支持部材の第一の端部又は第二の端部との間を伸びる材料捕捉構造体と、　を含む管腔内フィルタであって、
　前記第一の支持部材内に白金、タンタル又は金のような放射線不透過性材料が組み込まれ、
　前記材料捕捉構造体は交差型フィラメントで形成され、フィラメントがその交差部において相互に結合されている、
管腔内フィルタ。」
２　引用文献２には、図面とともに、次の記載がある。（日本語訳は、当審が付与したものである。）
（１）９ページ２０行〜２５行（空行含む。以下同様。）
　In the embodiment of FIG. 1, filter 20 includes a series of joined segments or sections 22 forming a domed or conical portion 24 for relative downstream or proximal placement and a portion 26 for relative upstream placement. While portion 24 is domed or conical in this embodiment, so as generally to direct emboli to the interior or center of filter 20, it will be understood that other shapes of portion 24 may be formed so as to allow blood flow while catching and holding emboli.（図１の実施例では、
フィルタ２０は、下流側又は近位側にドーム形又は円錐形の部分２４を形成し、そして上流側に部分２６を形成する、一連の結合されたセグメント又はセクション２２を有している
（２）９ページ２６行〜１０ページ５行
　Generally speaking, each segment 22 of this embodiment includes a plurality of loops (e.g. loops 30, 32) connected to or monolithic with a leg or extension 34. The illustrated embodiment shows a filter 20 including six segments 22, and thus six extensions 34. However, it will be understood that other embodiments can include a larger number (e.g. 7, 8, 9, 10 or more) or a smaller number (e.g. 4 or 5) of segments and extensions. The number of segments 22 depends on a number of factors, such as the size of the vessel or location at which filter 20 is to be placed, the size or  thickness of the materials used to make segments 22, and the desired size of the loops or their openings in the segments. Use of six segments 22, as shown in the embodiment of FIGS. 1-2, is believed to provide an optimum size of filter 22 for use in a number of vascular locations and to exhibit features and advantages discussed below.（一般的に、
この実施例のそれぞれのセグメント２２は、脚又は延長部３４に接続され又はこれらと一体になっている複数のループ（例えば、ループ３０、３２）を有している。図示された実施例は、６つのセグメント２２とこのような６つの延長部を有するフィルタ２０を示している
　In the illustrated embodiment, if segments 22 are made separately, as from separate lengths of wire or cut from a sheet as noted above, then they are attached to each other so that each loop 30 connects on the side to two adjacent loops 30, and each loop 32 connects on the side to two adjacent loops 32.The illustrated embodiments indicate various ways of connecting adjacent loops 30 or adjacent loops 32.（図示された実施例において、セグメント２２が、個別の長さのワイヤーから作製されたり、上述したようにシートから切り出されて作製されるなど、それぞれ個別に作製された場合には、
ループ３０はその両隣のループ３０と結合され、ループ３２はその両隣のループ３２と結合されるようにして、セグメント２２は相互に結合される
（４）１３ページ２５行〜１４ページ１行
　If twisting of the adjacent portions is not desired, other techniques for fastening adjacent loops 30 and adjacent loops 32 with each other can be used. For example, they can be fixed by welding or adhesive, by crimping (alone or with a metal or other sleeve around the portions of the loops), or by placement of a solid bead 60 between or around the adjacent portions of the loops (e.g. FIG. 5). 　If such a bead 60 (or other imageable structure) is used, in particular embodiments bead(s) 60 are composed and placed to enhance echogenicity of filter  20.（隣接する部分をねじることが望ましくない場合には、隣接するループ３０と隣接するループ３２を互いに結合する他の技術が使用され得る。例えば、それらは、溶接又は接着材、クリンピング（単独で、又は、ループ部分の取り囲む金属又はその他のスリーブを用いて）、又は、
ループの隣接する部分の間に又はそれらを取り囲むように中実のビーズ６０を配置する（例えば、図５）ことによって、固定され得る
ビーズ６０はフィルタ２０のエコー輝度をより高めるよう構成され配置される
（５）１４ページ６行〜１６行
　Compared to the thin wire used in embodiments noted above, which may provide discernible but vague or dim imaging, beads 60 provide particular, discrete points that are readily visible under ultrasound. Structural features for disruption or scattering of ultrasound, such as ribbing, indent-ations, planar surfaces (e.g. circular), or the like, can also be provide on beads 60 to enhance ultrasonic reflectivity. As another example, beads 60 may both increase scattering of ultrasound energy (echogenicity) and be made of a radiopaque material, with examples being beads of gold, platinum, tungsten, tantalum, and similar materials, or radiopaque powder (e.g. barium sulfate) loaded polymers. In such examples, beads 60 provide the ability to place and remove filter 20 under either ultrasound or fluoroscopy visualization.（上述した実施例で使用されたような認識はできるがぼやっとしてよく見えないイメージしか提供できない細いワイヤと比較して、ビーズ６０は特に、超音波下で容易に視認できる個別的なポイントを提供する。超音波の反射性をさらに高めるため、うねりやギザギザ、平坦な表面（例えば、円状の）、その他の類似物のような超音波を混乱又は散乱させる構造的特徴もまた、ビーズ６０の表面に提供され得る。他の例として、
ビーズ６０は、金、プラチナ、タングステン、タンタル、そして類似の材料又は放射線不透過パウダー（例えば、硫酸バリウム）を担持したポリマーなどでできたビーズで例示されるような、超音波エネルギの散乱（エコー輝度）を増加し、かつ、放射線不透過性の材料で作製される
（６）上記（３）及び（４）の記載事項からみて、セグメントはループを有し、隣接するループはビーズにより固定されることから、セグメントはビーズにより結合されるといえる。
（７）上記（１）〜（５）の記載事項及び上記（６）の認定事項からみて、引用文献２には、次の技術（以下「引用文献２に記載の技術」という。）が記載されているといえる。
「血管中の栓子を捕捉するフィルタが、ワイヤから作製されたセグメントとこれらセグメントを結合するビーズからなる構造物として構成されており、ビーズがタンタル又は金のような放射線不透過性であり、かつ、エコー輝度を増加する材料であるよう構成されたフィルタ。」
第５　対比・判断
１　対比
　本願発明と引用発明とを対比するに、引用発明の「第一の端部」は、その機能及び構造からみて、本願発明の「第１端部」に相当し、以下同様に、「第二の端部」は「第２端部」に、「第一の支持部材」は「第１の支持部材」に、「装着され」は「取り付けられ」に、「クロスオーバ」は「交差部」に、「開ループ」は「ループ」に、「第二の支持部材」は「第２の支持部材」に、「伸びる」は「延在する」に、「材料捕捉構造体」は「物質捕捉構造」に、「管腔内フィルタ」は「管腔内フィルタ」に、それぞれ相当する。
　
　してみると、本願発明と引用発明との一致点及び相違点は、次のとおりである。
（一致点）
「第１端部及び第２端部を有する第１の支持部材と、
　前記第１の支持部材の前記第１端部又は前記第１の支持部材の前記第２端部に取り付けられ、前記第１の支持部材と共に交差部を形成し、前記交差部の両側に１つずつ、２つのループを形成する、第２の支持部材と、
　前記第１の支持部材と前記第２の支持部材との間、かつ、前記交差部と前記第１の支持部材の前記第１端部又は前記第２端部との間に延在する物質捕捉構造と、
を含む管腔内フィルタである、
管腔内フィルタ。」
（相違点）
　本願発明では、少なくとも前記物質捕捉構造の任意の部分が当該管腔内フィルタのエコー源性特性を増強する構造であるのに対して、引用発明では、そのような構成を有しているか明らかでない点。
２　判断
　上記第４の２（５）のとおり、引用文献２の「ビーズ６０は、金、プラチナ、タングステン、タンタル、そして類似の材料又は放射線不透過パウダー（例えば、硫酸バリウム）を担持したポリマーなどでできたビーズで例示されるような、超音波エネルギの散乱（エコー輝度）を増加し、かつ、放射線不透過性の材料で作製される。」という記載事項を踏まえると、タンタルや金などは、放射線不透過性であり、かつ、エコー輝度を増加する材料であることから、引用発明の第一の支持部材内にタンタル又は金のような放射線不透過性材料が組み込まれた管腔内フィルタも、エコー輝度を増加させる材料が組み込まれたものであるといえ、超音波撮像下における視認性が向上されているといえる。
　また、上記第４の１（９）のとおり、引用発明の材料捕捉構造体は、交差型フィラメントで形成されており、フィラメントがその交差部において相互に結合されるものである。
　そして、上記第４の２（７）のとおり、引用文献２に記載の技術は、血管中の栓子を捕捉するフィルタが、ワイヤから作製されたセグメントとこれらセグメントを結合するビーズからなる構造物として構成されており、ビーズがタンタル又は金のような放射線不透過性であり、かつ、エコー輝度を増加する材料であるよう構成されたフィルタというものである。
　ここで、引用発明及び引用文献２に記載の技術はいずれも、管腔内でのフィルタの視認性を向上するための技術である点で共通することから、引用発明の支持部材内にエコー輝度を増加する材料を組み込むだけでなく、引用発明の材料捕捉構造体の交差型フィラメントの交差部において、引用文献２に記載の技術のように、エコー輝度を増加する材料（ビーズ）によりフィラメントを相互に結合することで、上記相違点に係る本願発明の構成を想起することは、同一技術分野における技術的手段を単に付加したものに過ぎないので、当業者にとって何ら困難性はない。
　なお、血管中の栓子やプラーク等を捕捉するフィルタにおいて、このフィラメントを構成するフィラメントやワイヤそのものを金等の放射線不透過性の材料で作製することは周知の技術である（必要とあらば、特表２０１１−５１７５９２号公報の【００８１】〜【００８５】、特表２００８−５２６３７８号公報の【００２１】及び【００２２】、特表２００１−５３６６６５号公報の【００３２】及び【００３３】、特開２００６−８７６３０号公報の【００５６】、特開２００６−９５０９５号公報の【００５１】等を参照のこと。）ところ、上述のとおり、金等の放射線不透過性の材料がエコー輝度を増加させるものであることを踏まえれば、引用発明の材料捕捉構造体そのものをエコー輝度を増加させる材料で構成するよう想起することも、当業者にとって何ら困難性はないといえる。
　そして、本願発明の奏する作用効果は、引用発明及び引用文献２に記載の技術の奏する作用効果から予測される範囲内のものにすぎず、格別顕著なものであるとはいえない。
　したがって、本願発明は、引用発明及び引用文献２に記載の技術に基いて、当業者が容易に発明をすることができたものであるから、特許法２９条２項の規定により、特許を受けることができないものである。
第６　むすび
　以上のとおり、本願発明は、引用発明及び引用文献２に記載の技術に基いて、その優先日前にその発明の属する技術の分野における通常の知識を有する者が容易に発明をすることができたものであるから、特許法２９条２項の規定により特許を受けることができない。
　したがって、他の請求項に係る発明について検討するまでもなく、本願は拒絶されるべきものである。
　よって、結論のとおり審決する。